(57)【特許請求の範囲】
【請求項１】
内側底面から上方に向けて、内側両側面間の間隔が増大するように、前記内側側面に勾配がついているＵ字溝を用い、
ベッド上に複数の前記Ｕ字溝を、上方が開口するように、並べて設置すること、
前記Ｕ字溝の溝にコンクリートを打設すること、
打設された前記コンクリートを脱型すること、
を含む、プレキャストコンクリート部材の製造方法。
【請求項２】
前記コンクリートの打設の前に、前記Ｕ字溝の内部に、前記溝の方向に垂直に、前記Ｕ字溝の内部を区切る妻枠を設置することを含む、請求項１に記載の製造方法。
【請求項３】
前記Ｕ字溝の設置後に、前記Ｕ字溝の側部上面に、前記Ｕ字溝の前記内側側面を上方に延長するように、追加の型枠を設置することを含む、請求項１または２に記載の製造方法。
【請求項４】
前記設置した複数のＵ字溝を、複数列設置し、
該複数列の各々は、互いに平行に、隣接して設置される、請求項１から３のいずれか一項に記載の製造方法。
【請求項５】
前記コンクリートの打設の前に、脱型用縁切り材により、前記Ｕ字溝の前記内側底面及び内側側面を覆うことを含む、請求項１から４のいずれか一項に記載の製造方法。
【発明の詳細な説明】
【技術分野】
【０００１】
本発明は、プレキャストコンクリート部材の製造方法に関するものである。
【背景技術】
【０００２】
周知のように、鉄筋コンクリート構造は、建築構造物の躯体の構造として、特に強度に優れているため、中高層建築物に広く採用されている。
【０００３】
上記の建築構造物において、例えば梁や柱として使用される、プレキャストコンクリート部材は、まず型枠を作製し、型枠内にコンクリートを打設し、硬化後に脱型することで、製造される。従来、このような型枠としては、鋼製や木製のものが、主に用いられている。
【０００４】
特許文献１には、土間コンクリートの設置予定箇所の地盤面を整地し、この地盤面をプレキャストコンクリート部材用のベッドとして用い、このベッド上に側面型枠を配置し、ベッドと側面型枠とによって形成される凹部にコンクリートを打設して、基礎梁を製造することが開示されている。
【０００５】
また、特許文献２には、プレキャストコンクリート製の型枠を捨て型枠として、すなわち、型枠へのコンクリート打設後に解体して回収しない、使いきりの型枠として用いる製造方法が開示されている。
【先行技術文献】
【特許文献】
【０００６】
【特許文献１】特開２０１２−１５４０４２号公報
【特許文献２】特開２００２−４４１２号公報
【発明の概要】
【発明が解決しようとする課題】
【０００７】
型枠が鋼製である場合には、型枠は多数回繰り返して、転用して、使用することができる。しかし、型枠の設計、作製に時間と費用が必要である。また、重い鋼製型枠の組み立て解体を人手で、繰り返し、行う必要があるが、これは非常な重労働である。
【０００８】
また、型枠が木製である場合には、型枠は耐久性に乏しくなり、多数回繰り返して使用することができないため、木材を大量に産廃処分する必要があり、無駄が多く能率的ではない。
【０００９】
上記のような鋼製、木製の型枠を使用する場合には、共通して、側面型枠の組み立て解体のスペースが必要となる。また、製造費用に占める型枠の割合が大きく、型枠転用率が低い場合には、非常に割高となり、型枠の作製コストが嵩む。また、サイトプレハブとして建設現場で、プレキャストコンクリート部材製造用の型枠を設置する場合、建築が計画通りに施工されるように、事前計画を綿密に練る必要があり、時間や労力を要するため、このような要因によってもコストが嵩み得る。
【００１０】
特許文献１のように、地盤をプレキャストコンクリート部材の型枠として使用する場合には、地盤面の凹凸が製造に少なからず影響を与えるため、良好な製造精度を保つことが困難である。また、一方の梁側は金鏝押さえとなり、一本の梁側の仕上げ状態が左右で異なり外観が損なわれるため、美観が求められる際には、仕上げ状態が悪い面を隠ぺいするように設計する必要があり、設計上の自由度が損なわれる。
【００１１】
特許文献２のように、プレキャストコンクリート製の型枠を捨て型枠として使用する場合には、一本のプレキャストコンクリート部材の製造に一組のプレキャストコンクリート製の型枠を使用するため、型枠の作製コストが嵩む。
【００１２】
本発明が解決しようとする課題は、型枠の作製に必要な時間とコストを抑え、型枠が多数回転用可能であり、かつ、建設現場においても容易に実施可能な、プレキャストコンクリート部材の製造方法を提供することである。
【課題を解決するための手段】
【００１３】
本発明は、上記課題を解決するため、以下の手段を採用する。すなわち、本発明は、内側底面から上方に向けて、内側両側面間の間隔が増大するように、前記内側側面に勾配がついているＵ字溝を用い、ベッド上に複数の前記Ｕ字溝を、上方が開口するように、並べて設置すること、前記Ｕ字溝の溝にコンクリートを打設すること、打設された前記コンクリートを脱型すること、を含む、プレキャストコンクリート部材の製造方法を提供する。
このような構成によれば、型枠として既製品であるＵ字溝を使用することが可能であるため、型枠の設計、作製に必要な時間と費用を低減することができる。
また、型枠の組み立て解体などにおいて人手での作業が発生したとしても、それは負担が高いものではなく、重労働を必要としない。
また、内側底面から上方に向けて、内側両側面間の間隔が増大するように、内側側面に勾配がついているＵ字溝を用いるため、型枠を解体しなくとも、Ｕ字溝内で硬化したコンクリートの脱型が容易である。したがって、型枠を多数回繰り返して使用することができ、無駄がなく合理的である。
また、大掛かりな型枠の組み立て解体作業を必要としないため、組み立て解体のスペースが不要、あるいは少なく済み、サイトプレハブとして建設現場で、プレキャストコンクリート部材製造用の型枠を設置する場合においても、型枠に関する事項の、建築計画への影響が少なくなり、事前計画立案のための時間や労力が少なくなる。
また、地盤を梁の型枠として使用しないため、製造精度を保つことが容易であり、更に、仕上げ状態がどの面においても一定となり外観が損なわれないため、設計上の自由度が損なわれない。
更に、型枠として使用するＵ字溝を外溝工事に使用することができるため、Ｕ字溝を撤収する必要がなくなり、建物と外溝の双方の工事を、安価に実現することが可能となる。
【００１４】
一般的に、ハーフプレキャストコンクリート部材を梁として使用する場合には、ハーフプレキャスト床板などの端部を、ハーフプレキャストコンクリート部材の、コンクリート部の上面端部に載せる必要がある。本発明においては、上記のように勾配がついているＵ字溝を用いるため、脱型したプレキャストコンクリート部材の断面は、例えば、底面よりも上面が広い台形形状となる。したがって、上記のような場合に、底面よりも広がっている上面の部位を、ハーフプレキャスト床板を載置するための、床材載せ掛け代、すなわちフカシとして使用することができる。これにより、フカシ相当部分の製造を改めて行う必要がなく、したがって、施工に要する時間と費用を低減することができる。
【００１５】
前記コンクリートの打設の前に、前記Ｕ字溝の内部に、前記溝の方向に垂直に、前記Ｕ字溝の内部を区切る妻枠を設置することを含んでもよい。
このような構成によれば、同一断面を有する、任意の長さの、プレキャストコンクリート部材を製造することが可能となる。
【００１６】
前記Ｕ字溝の設置後に、前記Ｕ字溝の側部上面に、前記Ｕ字溝の前記内側側面を上方に延長するように、追加の型枠を設置することを含んでもよい。
このような構成によれば、任意の高さ、すなわち、任意の断面形状の、プレキャストコンクリート部材を製造することが可能となる。
【００１７】
本発明によれば、上記のように、任意の長さ、任意の断面形状の、プレキャストコンクリート部材を製造することが、容易に可能となるが、これは、プレキャストコンクリート部材の標準化設計を行うことが出来ることを意味する。すなわち、通常はオーダー製品であるところのプレキャストコンクリート部材を、設計や施工を効率化するために、予め決定された断面形状や長さ、あるいは断面形状と長さの組み合わせのバリエーションのみを、実際の設計において使用できるように、パターン化しておく。このような標準化設計により、設計プロジェクトごとに、プレキャストコンクリート部材の適用検討を容易、かつ迅速に、行うことが可能となる。例えば、小梁プレキャストコンクリート部材の断面形状を、数種類で標準化設計しておき、上記の方法により長さを任意に変えられるものとして、設計、施工することにより、構造建築物の躯体部品を規格化量産できるため、建築構造物を安価に提供することができる。
【００１８】
前記設置した複数のＵ字溝を、複数列設置し、該複数列の各々は、互いに平行に、隣接して設置されてもよい。
このような製造方法によれば、型枠であるＵ字溝が縦横に密集している構成となるため、コンクリートを同時に、多数の型枠に対して、打設することができる。また、型枠からこぼれる、無駄なコンクリートが少なくなる。これにより、プレキャストコンクリート部材の製造コストを低減することができる。
【００１９】
前記コンクリートの打設の前に、脱型用縁切り材により、前記Ｕ字溝の前記内側底面及び内側側面を覆うことを含んでもよい。
このような製造方法によれば、コンクリートの脱型が容易となり、プレキャストコンクリート部材の製造コストを更に低減できる。
また、プレキャストコンクリート部材の仕上げ状態をより滑らかにすることが可能となり、外観が損なわれることがないため、不良部分を隠ぺいする必要がなく、設計上の自由度が損なわれない。
【００２０】
プレキャストコンクリート部材は、上記のような製造方法によって製造されてもよい。
【発明の効果】
【００２１】
本発明によれば、型枠の作製に必要なコストを抑え、型枠が多数回転用可能である、プレキャストコンクリート部材の製造方法を、提供することが可能となる。
【００２２】
好ましい様態では、建設現場においても、容易に、実施することが可能となる。
【図面の簡単な説明】
【００２３】
【図１】本発明の第１の実施形態として示したプレキャストコンクリート部材の製造方法において使用するＵ字溝を示した図であって、（ａ）は正面図、（ｂ）は側面図である。
【図２】本発明の第１の実施形態として示したプレキャストコンクリート部材の製造方法における、Ｕ字溝の設置状況を示した図であって、（ａ）は正面図、（ｂ）は側面図である。
【図３】本発明の第１の実施形態として示したプレキャストコンクリート部材の製造方法における、Ｕ字溝の固定状況を示した図であって、（ａ）は正面図、（ｂ）は側面図である。
【図４】本発明の第１の実施形態として示したプレキャストコンクリート部材の製造方法における、Ｕ字溝の区画状況を示した、一部断面視した側面図である。
【図５】本発明の第２、３の実施形態として示したプレキャストコンクリート部材の製造方法において使用するＵ字溝を示した図であって、（ａ）は正面図、（ｂ）は側面図である。
【図６】本発明の第２の実施形態として示したプレキャストコンクリート部材の製造方法における、Ｕ字溝の設置状況を示した図である。
【図７】本発明の第３の実施形態として示したプレキャストコンクリート部材の製造方法における、Ｕ字溝の設置状況を示した図である。
【図８】本発明の各実施形態として示したプレキャストコンクリート部材の製造方法における、Ｕ字溝の他の設置状況を示した図である。
【発明を実施するための形態】
【００２４】
以下、本発明の実施形態について図面を参照して詳細に説明する。
【００２５】
図１は、本発明の第１の実施形態として示した、プレキャストコンクリート部材の製造方法において使用するＵ字溝１を示す。図１（ａ）、（ｂ）は、それぞれ、Ｕ字溝１の正面図、側面図である。
【００２６】
Ｕ字溝１は、底壁２と、上方に向けて底壁２に連なる、互いに対抗する２つの側壁３を備えている。底壁２と側壁３は溝４を形成している。２つの側壁３の上端は、Ｕ字溝１の上方に向けて開口する開口壁部５をなしている。Ｕ字溝１の内側側面６には、２つの側壁３の各内側側面６間の間隔が増大するように、勾配がついている。内側側面６の上方、すなわち、開口壁部５の内側には、段部７が設けられている。
【００２７】
図２は、第１の実施形態として示したプレキャストコンクリート部材の製造方法において、Ｕ字溝１の設置状況を示した図であって、（ａ）は正面図、（ｂ）は側面図である。本第１の実施形態において製造されるプレキャストコンクリート部材は、例えば、ハーフプレキャストコンクリートの小梁である。
【００２８】
第１の実施形態においては、まず、ベッド１０を設置する。ベッド１０は木製であり、２本の桁部材１１と、複数の梁部材１２を備えている。間隔をあけて、平行に延在する２本の桁部材１１の上に、桁部材１１に直交するように、複数の梁部材１２が載置され、接合されている。
【００２９】
次に、図２（ｂ）に示すように、ベッド１０の梁部材１２の上に、複数のＵ字溝１を、開口壁部５が上方を向くように、かつ、Ｕ字溝１同士の、溝４の方向が合致して、長さ方向に列をなすように、並べて設置する。図２（ｂ）においては、３個のＵ字溝１を並べて設置しているが、Ｕ字溝１の数は２個以下でもよいし、４個以上でもよい。
【００３０】
また、図２（ａ）に示すように、複数のＵ字溝１の列を、各列が、互いに平行に、隣接するように、設置する。図２（ａ）においては、Ｕ字溝１の列を２列設置しているが、列の数は１列でもよいし、３列以上でもよい。
【００３１】
本第１の実施形態においては、図２（ａ）（ｂ）に示されるように、ベッド１０の上に、複数のガイド１３を、Ｕ字溝１の底壁２の幅の間隔をあけて、互いに平行に、溝４の方向に延在するように、設置している。Ｕ字溝１は、ガイド１３の間に設置される。これにより、並べられたＵ字溝１の溝４が、Ｕ字溝１同士の連接部において滑らかに接続されるように、Ｕ字溝１の設置位置を調整している。
【００３２】
次に、Ｕ字溝１の２つの側壁３の上部、すなわち、開口壁部５間を、タイロッドなどの固定部材１４により固定する。固定部材１４は、表面に雄ネジ部が形成された棒状部材１５、棒状部材１５が貫通する孔を備える支持プレート１６、及び、棒状部材１５と螺着する雌ネジ部が形成された締結部材１７を備える。棒状部材１５は、Ｕ字溝１の開口壁部５をまたぐように載置される。Ｕ字溝１の各側壁３において、側壁３を挟み込むように、側壁３の内側と外側にそれぞれ、棒状部材１５を貫通させた支持プレート１６を当接させ、それぞれの支持プレート１６の、側壁３とは反対の方向から、締結部材１７を締め付け、固定する。
【００３３】
上記のようにＵ字溝１を設置した後、列をなして連接したＵ字溝１同士を固定する。図３は、本第１の実施形態において、Ｕ字溝１の固定状況を示した図であって、（ａ）は正面図、（ｂ）は側面図である。
【００３４】
Ｕ字溝１の各列に対し、該列の両端部にそれぞれ、該列を挟み込むように、梁部材１８を設置し、梁部材１８間を溝方向固定部材１９で固定する。溝方向固定部材１９は、表面に雄ネジ部が形成された棒状部材２０、棒状部材２０が貫通する孔を備える支持プレート２１、及び、棒状部材２０と螺着する雌ネジ部が形成された締結部材２２を備える。棒状部材２０は、Ｕ字溝１の列の両端部に設置された梁部材１８を結合するように、Ｕ字溝１の外側に、すなわち、コンクリートが打設される溝４を避けるように、載置される。列の両端部に設置された各梁部材１８において、Ｕ字溝１が載置された側とは反対の側にそれぞれ、棒状部材２０を貫通させた支持プレート２１を当接させ、支持プレート２１の更に外側から、締結部材２２を締め付け、固定する。
【００３５】
Ｕ字溝１を固定した後、Ｕ字溝１の各列の両端部、及び内部を、製造予定のプレキャストコンクリート部材の長さに応じて、区画する。図４は、本第１の実施形態において、Ｕ字溝の区画状況を示した、一部断面視した側面図である。
【００３６】
図４においては、Ｕ字溝１の列の、紙面方向左端の梁部材１８の内側に、梁部材１８に支持されるように、止め枠２５を設置し、これにより、溝４の左端を閉じている。Ｕ字溝１の列の、紙面方向右側にも、止め枠２５を設置しているが、本第１の実施形態においては、右側の止め枠２５は、伸縮可能な管状部材２３の一端によって支持されており、管状部材２３の他端は、右側の梁部材１８の内側に、支えられるように、設置されている。
【００３７】
Ｕ字溝１の内部の、図４における左右両端の止め枠２５の間は、溝４の方向に垂直に、溝４を区切る妻枠２４を設置している。  
【００３８】
上記のようにＵ字溝１を設置、固定し、溝４内を適宜区画した後、鉄筋籠などの配筋を設置し、Ｕ字溝１の溝４の、止め枠２５と妻枠２４によって区切られた各区画に、コンクリートを打設する。
【００３９】
最後に、所定の養生期間を経て、打設したコンクリートが硬化した後、製造されたハーフプレキャストコンクリートの小梁を吊り上げて、脱型する。
【００４０】
製造されたハーフプレキャストコンクリートの小梁は、現場に設置される。その後、スラブの配筋、コンクリートの打設を経て、構造建築物が施工される。
【００４１】
このような製造方法によれば、型枠として既製品であるＵ字溝１を使用することが可能であるため、型枠の設計、作製に必要な時間と費用を低減することができる。
【００４２】
また、型枠の設置などにおける人手での作業において、重労働を必要としない。
【００４３】
また、内側底面から上方に向けて、内側両側面６間の間隔が増大するように、内側側面６に勾配がついているＵ字溝１を用いるため、型枠を解体しなくとも、Ｕ字溝１内で硬化したコンクリートの脱型が容易である。したがって、型枠を多数回繰り返して使用することができ、無駄がなく合理的である。
【００４４】
また、大掛かりな型枠の組み立て解体作業を必要としないため、組み立て解体のスペースが不要、あるいは少なく済み、サイトプレハブとして建設現場で、プレキャストコンクリート部材製造用の型枠を設置する場合においても、型枠に関する事項の、建築計画への影響が少なくなり、事前計画立案のための時間や労力が少なくなる。
【００４５】
また、地盤を梁の型枠として使用しないため、製造精度を保つことが容易であり、更に、仕上げ状態がどの面においても一定となり外観が損なわれないため、設計上の自由度が損なわれない。
【００４６】
また、型枠として使用するＵ字溝１を外溝工事に使用することができるため、Ｕ字溝１を撤収する必要がなくなり、建物と外溝の双方の工事を、安価に実現することが可能となる。
【００４７】
また、上記のように勾配がついているＵ字溝１を用いるため、脱型したプレキャストコンクリート部材の断面は、例えば、底面よりも上面が広い台形形状となる。例えば、ハーフプレキャストコンクリート部材を梁として使用し、ハーフプレキャスト床板などの端部を、ハーフプレキャストコンクリート部材の、コンクリート部の上面端部に載せるような場合に、底面よりも広がった上面の部位を、ハーフプレキャスト床板を載置するための、床材載せ掛け代、すなわちフカシとして使用することができる。したがって、フカシ相当部分の製造を改めて行う必要がなく、したがって、施工に要する時間と費用を低減することができる。
【００４８】
また、止め枠２５は、伸縮可能な管状部材２３によって支持されている。更に、Ｕ字溝１の列の、左右両端の止め枠２５の間には、任意の場所に妻枠２４を設置して、溝４を区切ることができる。したがって、同一断面を有する、任意の長さの、プレキャストコンクリート部材を製造することが可能となる。これにより、前記のように、プレキャストコンクリート部材の標準化設計を行うことが可能となる。すなわち、設計プロジェクトごとに、プレキャストコンクリート部材の適用検討を容易、かつ迅速に、行うことが可能となり、建築構造物を安価に提供することができる。
【００４９】
また、型枠であるＵ字溝１が縦横に密集している構成となるため、コンクリートを同時に、多数の型枠に対して、打設することができる。また、型枠からこぼれる、無駄なコンクリートも少なくなる。これにより、製造コストを低減することができる。
【００５０】
また、Ｕ字溝１の開口壁部５間を、固定部材１４により固定しているため、溝４へのコンクリート打設により、Ｕ字溝１の開口壁部５が開き、予定とは異なる断面形状のＵ字溝１が製造されることを防止することが可能である。これは、特に高さが高いプレキャストコンクリート部材を製造する場合に有効である。
【００５１】
また、ベッド１０が木製であるため軽量であり、ベッド１０ごと、プレキャストコンクリート部材の製造ユニット全体を、容易に移設することができるため、特に建設現場でプレキャストコンクリート部材の製造を行う場合は、建築計画に融通が利き、したがって、計画の立案が容易である。
【００５２】
次に、図５は、本発明の第２、３の実施形態として示した、プレキャストコンクリート部材の製造方法において使用するＵ字溝３０を示す。図５（ａ）、（ｂ）は、それぞれ、Ｕ字溝３０の正面図、側面図である。Ｕ字溝３０においては、内側側面６に段部７が形成されていない点が、図１に示されるＵ字溝１とは異なっている。
【００５３】
図６は、第２の実施形態として示したプレキャストコンクリート部材の製造方法において、Ｕ字溝３０の設置状況を示した図である。本第２の実施形態において製造されるプレキャストコンクリート部材は、例えば、ハーフプレキャストコンクリートの小梁である。
【００５４】
第２の実施形態においても、まず、ベッド３１を設置する。本第２の実施形態においては、ベッド３１としては、長尺のＨ型鋼を使用している。Ｈ型鋼の、一方のフランジが地盤に接するように、地盤上に設置する。
【００５５】
次に、第１の実施形態と同様、ベッド３１の他方のフランジ上に、Ｈ型鋼の長さ方向と、Ｕ字溝３０の溝４の方向が一致するように、複数のＵ字溝３０を設置する。複数のＵ字溝３０は、開口壁部５が上方を向くように、かつ、溝４の方向が合致して、長さ方向に列をなすように、設置される。
【００５６】
本第２の実施形態においては、Ｕ字溝３０の両側壁３の外側の表面に沿って、Ｕ字溝３０の溝４の方向に延在するように、単管パイプなどのガイド３２を設置している。これにより、並べられたＵ字溝３０の溝４が、Ｕ字溝３０同士の連接部において滑らかに接続されるように、Ｕ字溝３０の設置位置を調整している。
【００５７】
ガイド３２には、長尺な支持部材３３の一端が、接続されている。支持部材３３の他端は、地盤などに固定されている。
【００５８】
次に、Ｕ字溝３０の溝４内に、打設したコンクリートの脱型を容易に行うため、及び、プレキャストコンクリート部材の表面を滑らかにするために、溝４の内側底面及び内側側面６を覆うように、ビニール、薄ベニヤ、薄鉄板、ポリエステルフィルムなどの、脱型用縁切り材３４を設置する。特に、Ｐ０．１２５などのポリエステルフィルムは、化学薬品、医薬品や水に強く、伸び縮みが殆どなく、経年劣化しないため、脱型用縁切り材３４として使用するには好適である。また、脱型用縁切り材３４として、エポキシ樹脂を塗布してもよい。また更に、脱型用縁切り材３４として、コンクリート剥離剤を塗布してもよい。
【００５９】
その後、第１の実施形態と同様に、列に並べられたＵ字溝３０同士の固定、図３に示されるような止め枠２５や妻枠２４による区画、鉄筋籠などの配筋の設置、コンクリートの打設、養生、及び脱型を行う。
【００６０】
このような製造方法によれば、ベッド３１が既製品であるＨ型鋼であるため、複雑な設備や載置台が不要となり、製造施設ユニットの部材数を削減することができる。また、地盤面に多少凹凸があっても、特別な整地を要せずに、現場でのプレキャストコンクリート部材の製造設備を構築することが可能である。また、同一の建築現場内での製造場所の移動や、別の現場への製造設備の移転なども、容易に可能である。
【００６１】
上記のように、本第２の実施形態においては、ベッド３１としてＨ型鋼を使用しているが、この場合、Ｕ字溝３０の転倒を防止するために、支持部材３３を設置している。Ｕ字溝３０の列が一列の場合は、図６に示すように、当該列の両側壁３を支持するように、列の両側に、支持部材３３を設置する。Ｕ字溝３０の列を複数列、列同士が当接し互いに支持するように設置する場合には、最も端に位置するＵ字溝３０の列の、他のＵ字溝３０によって支持されていない側壁３のみを支持するように、支持部材３３を設置することが可能である。このようにすることで、製造施設ユニットを、更に容易に設置することが可能となる。
【００６２】
また、Ｕ字溝３０の溝４内に、脱型用縁切り材３４を設置した後に、コンクリートを打設するため、脱型を容易に行うことができる。また、プレキャストコンクリート部材の表面への、Ｕ字溝３０の溝４表面の、ピンホールやモルタルの凹凸面などによる影響をなくし、プレキャストコンクリート部材の表面を滑らかにすることが可能である。
【００６３】
脱型用縁切り材３４として、エポキシ樹脂を使用して、Ｕ字溝３０の溝４表面の、ピンホールやモルタルの凹凸面にエポキシ樹脂が含浸して、滑らかな表面を形成するように、溝４表面に塗り込むと、ビニールなどを用いた場合に懸念される、しわによるプレキャストコンクリート部材の表面への影響をなくすことができる。したがって、外観が非常に滑らかなプレキャストコンクリート部材を製造することが可能となる。ただし、脱型用縁切り材３４として、ビニールを用いる場合であっても、接着剤をＵ字溝３０の溝４の、内側底面及び内側側面６の、全面に塗布し、溝４の表面に隙間なくビニールを接着したり、ビニールにローラー掛けたりすることで、しわの発生を防止することは可能である。
【００６４】
一度脱型用縁切り材３４を設置すれば、多数回にわたり、繰り返して使用することができるため、プレキャストコンクリート部材の製造の度に、脱型用縁切り材３４を再設置する必要がない。したがって、プレキャストコンクリート部材の製造時間への影響をほとんど与えずに、プレキャストコンクリート部材の表面を滑らかにして外観をよくすることが可能である。
【００６５】
また、本第２の実施形態が、第１の実施形態と同様に、型枠の設計、作製に必要な時間と費用を低減する、型枠の設置などにおける人手での作業において、重労働を必要としない、型枠を多数回繰り返して使用することができ、無駄がなく合理的である、事前計画立案のための時間や労力が少なくなる、地盤を梁の型枠として使用しないため、製造精度を保つことが容易である、フカシ相当部分の製造を改めて行う必要がない、標準化設計を行うことが可能である、等の、前記した様々な効果を奏することは、いうまでもない。
【００６６】
次に、図７に、本発明の第３の実施形態として示した、プレキャストコンクリート部材の製造方法における、Ｕ字溝３０の設置状況を示す。本第３の実施形態において製造されるプレキャストコンクリート部材は、例えば、ハーフプレキャストコンクリートの大梁などの、梁成が高いものである。
【００６７】
本第３の実施形態は、Ｕ字溝３０を設置した後に、Ｕ字溝３０の側壁３の上面に、側型枠３５を、Ｕ字溝３０の内側側面６を上方に延長するように、設置する点、及び、図示されていないが、止め枠や妻枠に主筋を貫通させるための開口を設けてある点が、図６に示される上記の第２の実施形態とは異なっている。
【００６８】
このような製造方法によれば、内部に主筋を通した、大梁などの、梁成の高い梁でも容易に作成可能である。すなわち、任意の高さ、及び長さを有する、プレキャストコンクリート部材を製造することが、容易に可能となるため、前記のように、プレキャストコンクリート部材の標準化設計を行うことが可能となる。すなわち、設計プロジェクトごとに、プレキャストコンクリート部材の適用検討を容易、かつ迅速に、行うことが可能となり、建築構造物を安価に提供することができる。
【００６９】
また、本第３の実施形態が、第１、２の実施形態と同様に、型枠の設計、作製に必要な時間と費用を低減する、型枠の設置などにおける人手での作業において、重労働を必要としない、型枠を多数回繰り返して使用することができ、無駄がなく合理的である、事前計画立案のための時間や労力が少なくなる、地盤を梁の型枠として使用しないため、製造精度を保つことが容易である、フカシ相当部分の製造を改めて行う必要がない、等の様々な効果を奏することは、いうまでもない。
【００７０】
なお、上記の各実施形態において、Ｕ字溝１、３０の列は、列の両端に設置された梁部材１８を介して、溝方向固定部材１９によって締め付け、固定されている。梁部材１８の代わりに、木製の端太材を打ち付けた、木材であるコンクリートパネルを使用し、コンクリートパネルに形成された貫通穴に、表面に雄ネジ部が形成された棒状部材を挿通させて、ナットで締め付けることで固定してもよい。
【００７１】
また、図８（ａ）に示すように、梁部材１８を使用せず、すなわち、溝方向固定部材１９の支持プレート２１を、列の両端に設置された、Ｕ字溝１、３０の側壁３に直接接するように配した後、締め付け、固定するようにしてもよい。
【００７２】
また、この場合は、図８（ｂ）に示すように、Ｕ字溝１、３０の列を平行に並べ、一個の溝方向固定部材１９を２つのＵ字溝１、３０の列の間に配することによって、一個の溝方向固定部材１９によって２つの列を同時に締め付け、固定するようにしてもよい。
【００７３】
また、図８（ｃ）に示すように、Ｕ字溝１、３０の列を、互いに接するように、緊密に設置したうえで、ベルト荷締機４０などによって、全てのＵ字溝１、３０をまとめて取り囲むように、全体を緊結してもよい。このように、Ｕ字溝１、３０を密集させるとそれだけ、コンクリートを同時に、多数の型枠に対して打設することができ、かつ、型枠からこぼれる、無駄なコンクリートも少なくなるため、製造コストを更に低減することができる。
【００７４】
また、一列に並べられたＵ字溝１、３０は、隣接するＵ字溝１、３０を、専用接続金物で互いに接続することで、形成してもよい。あるいは、ベッドとして鋼板を使用し、シーチャンネルなどをベッドに溶接することで、Ｕ字溝１、３０を直にベッドに固定してもよい。
【００７５】
また、図８に示すように、クサビなどの高さ調整板４１を使用して、Ｕ字溝１、３０の高さの微調整を行ってもよい。
【００７６】
また、図４においては、一方の止め枠２５は、管状部材２３を介して、梁部材１８に接続されて支持されているが、止め枠２５の厚みを増して箱状として、止め枠２５自身が梁部材１８に接触されて、支持されるようにしてもよい。
【００７７】
また、止め枠２５には、プレキャストコンクリート部材の木口面に、コッターを整形するための、凹凸が形成されていてもよい。
【００７８】
また、止め枠２５として、コンクリートパネルなどの木材部品を使用してもよい。これにより、型枠をＵ字溝１、３０とコンクリートパネルで構成するため、鋼製の型枠が不要となり、型枠を安価に作製することができる。
【００７９】
また、上記の第１の実施形態においては、図２などに示すように、Ｕ字溝１の開口壁部５間を、固定部材１４により固定しているが、Ｕ字溝１、３０の強度が十分である場合や、Ｕ字溝１、３０の高さが低い場合などは、固定部材１４は用いなくてもよい。
【００８０】
また、上記の第３の実施形態において、図７に示されるような、Ｕ字溝３０の側壁３の上面に設置される、側型枠３５に関して、その上部を、固定部材１４によって締結、固定してもよい。側型枠３５は木製、鋼製でもよいし、プレキャストコンクリートで製造されていてもよい。側型枠３５には、脱型が容易になるように、勾配がついていてもよいし、側型枠３５は勾配がなく垂直なものとして、コンクリートの打設ごとに側型枠３５を解体するようにしてもよい。
【００８１】
また、上記の第２、３の実施形態において、図６、７に示される脱型用縁切り材３４として、ビニールシートを用いる場合には、ビニールシートの、溝４の方向と直行する方向の幅が、溝４の底面の幅と両側内側側面６の高さ、及び両側側型枠３５の高さの計よりも、長くなるように裁断して用いてもよい。このようなビニールシートは、Ｕ字溝１、３０内に設置すると、ビニールシートの幅方向の余剰部分が、Ｕ字溝１、３０の両側壁３からＵ字溝１、３０の外方へはみ出て、垂れ下がる。コンクリートをＵ字溝１、３０に打設した後、このビニールシートの余剰分を、打設したコンクリートの上に、コンクリートを包み込むように被せることで、コンクリートの採暖、養生を容易に行うことができる。
【００８２】
また、上記の各実施形態において、図２、６などにおいては、ガイド１３、３２を用いて、並べられたＵ字溝１、３０の溝４が、Ｕ字溝１、３０同士の連接部において滑らかに接続されるように、Ｕ字溝１、３０の設置位置を調整している。このガイド１３、３２に代わり、Ｈ型鋼を用いてもよい。すなわち、ウェブが地盤と平行になるようにＨ型鋼を設置し、ウェブを底面とし、ウェブに接続し、ウェブから垂直に、上方に延びる両フランジを側面とした空間内に、Ｕ字溝１、３０を、Ｕ字溝１、３０の底壁２をウェブが、一方の側壁３を一方のフランジが、それぞれ支持するよう設置し、他方の側壁３と他方のフランジ間にキャンバーを打ち込み固定してもよい。このようにすることで、Ｕ字溝１、３０の設置精度が容易に確保できる。
【００８３】
また、上記の各実施形態において、製造されるプレキャストコンクリート部材は、ハーフプレキャストコンクリートの小梁、大梁であるが、これに代わり、中柱プレキャストコンクリート部材であってもよい。中柱の場合は、梁ほどの高さを要しないため、上記の各実施形態において容易に作成することが可能である。
【００８４】
また、製造されるプレキャストコンクリート部材は、プレテンションプレストレスの、プレキャストコンクリート部材であってもよい。プレテンションプレストレス部材は、一般的には、鋼製の型枠で作成されるが、それに代わり、Ｕ字溝１、３０を列に並べ、溝４内にストレスが与えられたＰＣ鋼材を設置したうえで、コンクリートを打設することで、任意の長さで、同一断面の、プレテンションプレストレスの、プレキャストコンクリート部材を、容易に作成することが可能である。
【００８５】
上記の各実施形態は、適宜、組み合わされてもよい。例えば、第１の実施形態において脱型用縁切り材３４を使用してもよいし、第３の実施形態において、ベッド３１を木製桁材としてもよい。
【００８６】
以上、本発明の好ましい実施の形態について詳細に説明したが、当該技術分野における通常の知識を有する者であればこれから様々な変形及び均等な実施の形態が可能であることが理解できるであろう。
【００８７】
よって、本発明の権利範囲はこれに限定されるものではなく、特許請求の範囲に記載される本発明の基本概念を用いた当業者の様々な変形や改良形態も本発明に含まれる。
【符号の説明】
【００８８】
１、３０        Ｕ字溝
１０、３１      ベッド
１３、３２      ガイド
１４            固定部材
１８            梁部材
１９            溝方向固定部材
２３            管状部材
２４            妻枠
２５            止め枠
３３            支持部材
３４            脱型用縁切り材
３５            側型枠
４０            ベルト荷締機
４１            高さ調整板
【図１】
0006557497.tif 000002
【図２】
0006557497.tif 000003
【図３】
0006557497.tif 000004
【図４】
0006557497.tif 000005
【図５】
0006557497.tif 000006
【図６】
0006557497.tif 000007
【図７】
0006557497.tif 000008
【図８】
0006557497.tif 000009